(57)【特許請求の範囲】
【請求項１】
揮発性を有する薬剤を収容する容器と、
上記容器の開放部分を覆う蓋とを備え、
上記蓋は、揮発した薬剤を通し、かつ、揮発していない薬剤を通さないように構成された揮発薬剤透過部材と、該揮発薬剤透過部材を上記容器の外側から覆うとともに、薬剤を通さないように構成された非透過部材とを備え、
上記非透過部材は、上記揮発薬剤透過部材に対して剥離可能に一体化されるとともに、上記揮発薬剤透過部材から剥離させるときに掴むための掴み部を備え、該掴み部は、上記揮発薬剤透過部材よりも上記容器外へ向けて延出し、
上記揮発薬剤透過部材は、上記容器に対し、上記非透過部材を上記揮発薬剤透過部材から剥離させるときの力よりも強く固着された薬剤収容具の製造方法において、
上記容器の開放側の周縁部にフランジを設け、該フランジの外縁部に該容器の外方へ向けて延出する板状の延出部を設けておき、
上記揮発薬剤透過部材に上記非透過部材が接着されたフィルム状材料の揮発薬剤透過部材側に、切断具を用いて切れ込みを入れて上記非透過部材の掴み部となる部分から上記揮発薬剤透過部材を剥離して除去し、
しかる後、上記フィルム状材料における揮発薬剤透過部材の外縁部を、上記容器の延出部の外縁部よりも、該延出部の延出方向基端側に位置付けて上記フランジに全周に亘って熱溶着することによって上記薬剤収容具を得ることを特徴とする薬剤収容具の製造方法。
【発明の詳細な説明】
【技術分野】
【０００１】
本発明は、揮発性を有する薬剤を収容する薬剤収容具の製造方法に関するものである。
【背景技術】
【０００２】
従来から、この種の薬剤収容具としては、例えば特許文献１に開示されているように、揮発性を有する薬剤を収容するトレイと、トレイの開放部分を覆うフィルム状の蓋とを備えたものが知られている。この特許文献１の蓋は、揮発した薬剤を通し、かつ、揮発していない薬剤を通さないように構成された透過薄膜と、この透過薄膜を覆うとともに、薬剤を通さないように構成された非透過薄膜とを備えている。
【０００３】
非透過薄膜は、透過薄膜に対して剥離可能に接着されている。また、透過薄膜は、容器に対して固着されている。薬剤収容具の輸送時等には、非透過薄膜によってトレイ内の薬剤の揮発が抑制される。一方、薬剤収容具の使用開始時には、使用者が、非透過薄膜を透過薄膜から剥離する。これにより、揮発した薬剤が、透過薄膜を通って外部へ出て周囲に拡散していき、薬剤による各種効果が得られる。
【先行技術文献】
【特許文献】
【０００４】
【特許文献１】特表２００１−５２３１１９号公報
【発明の概要】
【発明が解決しようとする課題】
【０００５】
上記特許文献１の薬剤収容具では、使用開始時に、非透過薄膜を剥離しなければならない。しかしながら、特許文献１の蓋の構造は、非透過薄膜が、透過薄膜の全体に接着されているので、使用者が非透過薄膜を剥離しようとして蓋の一部を掴むと、非透過薄膜と、透過薄膜とを一緒に掴み、両薄膜に引っ張り力を加えることになる。このとき、透過薄膜はトレイに固着されているので、両薄膜を一緒に引っ張ると透過薄膜は、トレイに固着された部分を起点にして破れる。この透過薄膜を破るのには力が必要である。従って、使用者が非透過薄膜を剥離し難くいと感じることがあり、使用者にとって使いやすいものとは言えなかった。
【０００６】
また、使用者は、上記したように非透過薄膜を剥離する際に透過薄膜も引っ張ることになるが、このとき、使用者の力加減等により、透過薄膜の一部がトレイから引き剥がされてしまうことが考えられる。こうなると、トレイ内部の揮発していない薬剤が洩れてしまうという不具合が発生し、薬剤を徐々に拡散させるという機能を達成できなくなる。
【０００７】
本発明は、かかる点に鑑みてなされたものであり、その目的とするところは、使用者にとって使いやすく、かつ、不具合の発生しにくい薬剤収容具の製造方法を提供することにある。
【課題を解決するための手段】
【０００８】
上記目的を達成するため、本発明では、蓋の非透過部材に掴み部を設け、この掴み部を、蓋の揮発薬剤透過部材よりも容器外へ向けて延出させた。
【０００９】
第１の発明は、揮発性を有する薬剤を収容する容器と、上記容器の開放部分を覆う蓋とを備え、上記蓋は、揮発した薬剤を通し、かつ、揮発していない薬剤を通さないように構成された揮発薬剤透過部材と、該揮発薬剤透過部材を上記容器の外側から覆うとともに、薬剤を通さないように構成された非透過部材とを備え、上記非透過部材は、上記揮発薬剤透過部材に対して剥離可能に一体化されるとともに、上記揮発薬剤透過部材から剥離させるときに掴むための掴み部を備え、該掴み部は、上記揮発薬剤透過部材よりも上記容器外へ向けて延出し、上記揮発薬剤透過部材は、上記容器に対し、上記非透過部材を上記揮発薬剤透過部材から剥離させるときの力よりも強く固着された薬剤収容具の製造方法において、上記容器の開放側の周縁部にフランジを設け、該フランジの外縁部に該容器の外方へ向けて延出する板状の延出部を設けておき、上記揮発薬剤透過部材に上記非透過部材が接着されたフィルム状材料の揮発薬剤透過部材側に、切断具を用いて切れ込みを入れて上記非透過部材の掴み部となる部分から上記揮発薬剤透過部材を剥離して除去し、しかる後、上記フィルム状材料における揮発薬剤透過部材の外縁部を、上記容器の延出部の外縁部よりも、該延出部の延出方向基端側に位置付けて上記フランジに全周に亘って熱溶着することによって上記薬剤収容具を得ることを特徴とするものである。
【００１０】
この構成によれば、使用者が非透過部材を揮発薬剤透過部材から剥離しようとする際には、非透過部材の掴み部を掴んで剥離方向に引っ張る。この掴み部は、揮発薬剤透過部材よりも容器外へ向けて延出しているので、使用者が揮発薬剤透過部材を一緒に掴むことはない。これにより、使用者は非透過部材のみを引っ張ることになるので、揮発薬剤透過部材を破る必要はなく、非透過部材を揮発薬剤透過部材から剥離させる際の力が小さくて済み、また、揮発薬剤透過部材の一部が容器から引き剥がされることもない。
【発明の効果】
【００１１】
第１の発明によれば、蓋の非透過部材を揮発薬剤透過部材に対して剥離可能に一体化し、この非透過部材に掴み部を設け、この掴み部を揮発薬剤透過部材よりも容器外へ向けて延出させたので、使用者は揮発薬剤透過部材を掴むことなく非透過部材を揮発薬剤透過部材から剥離することができる。これにより、非透過部材を剥離させる際の力が小さくて済むので使いやすくすることができるとともに、揮発薬剤透過部材の一部が容器から引き剥がされることがないので、不具合の発生を抑制できる。
【図面の簡単な説明】
【００１２】
【図１】実施形態にかかる表示具を備えた薬剤拡散器の斜視図である。
【図２】表示具を容器側から見た図である。
【図３】表示具を蓋側から見た図である。
【図４】図２のIV−IV線断面図である。
【図５】表示具の側面図である。
【図６】図２のVI−VI線断面図である。
【図７】表示具の延出部側を拡大して示す側面図である。
【図８】蓋の端面拡大図であり、（ａ）は掴み部以外の部分を示し、（ｂ）は掴み部近傍を示す図である。
【図９】蓋を構成するフィルム状材料の斜視図であり、（ａ）は所定寸法に切断した状態を示し、（ｂ）は揮発薬剤透過フィルムに切れ込みを入れた状態を示し、（ｃ）は揮発薬剤透過フィルムの一部を非透過フィルムから剥離する様子を示す図である。
【図１０】容器の中間成形品の平面図である。
【図１１】容器の中間成形品を延出部側から見た図である。
【図１２】図１０のXII−XII線断面図である。
【図１３】蓋と容器とを一体化する場合を説明する図である。
【図１４】（ａ）は使用者が掴み部を掴んだ状態を示し、（ｂ）は非透過フィルムの一部を揮発薬剤透過フィルムから剥離した状態を示す図である。
【発明を実施するための形態】
【００１３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１４】
図１は、本発明の実施形態にかかる薬剤収容具としての表示具１を備えた薬剤拡散器５０を示すものである。この実施形態の説明では、表示具１の構造を説明する前に、薬剤拡散器５０の構造について説明する。
【００１５】
薬剤拡散器５０は、揮発性を有する薬剤を含浸した薬剤含浸体５１と、薬剤含浸体５１を収容するケース５２と、ケース５２を吊すためのフック５３とを備えている。薬剤含浸体５１は、吸液性を有する部材からなり、通気性の高いメッシュ状に加工されている。薬剤含浸体５１に含浸させる薬剤としては、揮発性を有する薬剤であれば特に限定されないが、例えば、殺虫剤、虫の忌避剤、防虫剤、芳香剤、消臭剤等が挙げられる。
【００１６】
ケース５２は、樹脂材からなる厚肉板状のものであり、正面視で上下方向に長い略矩形状とされ、上方から見ると、全体として略Ｓ字状に湾曲している。ケース５２は、厚み方向に２分割された第１分割体５５と第２分割体５６とを組み合わせて構成されている。第１分割体５５と第２分割体５６との間に薬剤含浸体５１が収容され、薬剤含浸体５１は、第１分割体５５と第２分割体５６とで厚み方向に挟持されている。
【００１７】
第１分割体５５と第２分割体５６とには、多数の貫通口５５ａ（第１分割体５５のもののみ示す）が形成されている。空気は貫通口５５ａを通ってケース５２に出入りし、これにより、薬剤含浸体５１に含浸されている薬剤が周囲に拡散するようになっている。
【００１８】
ケース５２の中央部には、上下方向に長い開口部５７がケース５２の厚み方向に貫通するように形成されている。この開口部５７に上記表示具１が取り付けられるようになっている。
【００１９】
次に、表示具１の構造について説明する。図２〜図６に示すように、表示具１は、揮発性を有する薬剤を収容する容器１０と、容器１０の開放部分を覆う蓋２０とを備えている。
【００２０】
容器１０は、薬剤拡散器５０の開口部５７の形状に対応して所定方向に長く延びる形状とされ、例えば、ポリエチレン‐テレフタラート（ＰＥＴ）等の無色透明な樹脂製の板材で構成されている。図１に示すように、容器１０は、その長手方向が薬剤拡散器５０の上下方向と一致する姿勢で薬剤拡散器５０に取り付けられる。
【００２１】
尚、本実施形態の説明では、薬剤拡散器５０に取り付けられた表示具１の上となる側を「上」といい、下となる側を「下」というものとする。
【００２２】
図４に示すように、容器１０には、板材の厚み方向一方側へ膨出する膨出部１１が形成されている。図２、図５、図６に示すように、膨出部１１は、上下方向に延びており、この膨出部１１の内部に薬剤が収容されるようになっている。膨出部１１は、その膨出方向と反対側が略全体に亘って開口しており、この開口が容器１０の開放部分となっている。
【００２３】
図２に示すように、容器１０の膨出部１１の周縁部には、膨出部１１を囲むようにフランジ１２が形成されている。フランジ１２は、略矩形状とされている。
【００２４】
フランジ１２の下部には、下側切欠部１３が形成されている。下側切欠部１３は、フランジ１２の下縁部の幅方向中央部近傍に位置している。また、フランジ１２の上部には、上方へ延出する延出部１４が形成されている。延出部１４は、薬剤拡散器５０に固定される部分である。延出部１４の幅は、フランジ１２の幅よりも狭く設定されている。また、延出部１４の上縁部は、幅方向中央部に近づくほど上に位置するように尖った形状となっている。さらに、延出部１４の下部には、幅方向両側に切欠部１４ａ，１４ａが形成されている。
【００２５】
薬剤は、例えば、揮発性を有する薬剤であれば特に限定されないが、例えば、殺虫剤、虫の忌避剤、防虫剤、芳香剤、消臭剤等が挙げられる。薬剤は、液体であり、例えば青、黄、緑等に着色されている。
【００２６】
図７、図８に示すように、蓋２０は、薄肉の多層フィルム材で構成されている。蓋２０は、揮発した薬剤を通し、かつ、揮発していない薬剤を通さないように構成された揮発薬剤透過フィルム（揮発薬剤透過部材）２１と、揮発薬剤透過フィルム２１を容器１０の外側から覆うとともに、薬剤を通さないように構成された非透過フィルム（非透過部材）２２とを備えている。
【００２７】
揮発薬剤透過フィルム２１は、液体を通さず、気体を通す性質を有する周知のフィルムで構成することができる。この種のフィルムとしては、例えば、上記特表２００１−５２３１１９号公報に開示されているものが挙げられるが、これ以外のフィルムを用いることも可能である。
【００２８】
図２、図３に示すように、揮発薬剤透過フィルム２１は、容器１０のフランジ１２の形状に対応した略矩形状である。すなわち、揮発薬剤透過フィルム２１の幅は容器１０の幅と略同じに設定され、また、揮発薬剤透過フィルム２１の長さは、容器１０の下縁部からフランジ１２における延出部１４の下縁部に達する長さに設定されている。
【００２９】
揮発薬剤透過フィルム２１は、熱可塑性樹脂で構成されている。揮発薬剤透過フィルム２１の周縁部は、フランジ１２に対し全周に亘って熱溶着によって固着されている。揮発薬剤透過フィルム２１の熱溶着部分を図３に斜線にて示す。揮発薬剤透過フィルム２１を構成する材料は、容器１０との溶着強度を十分に確保するために、容器１０を構成する材料と同じであるのが好ましい。
【００３０】
尚、揮発薬剤透過フィルム２１は、例えば、ポリエチレンフィルム、ポリプロピレンフィルム、ポリウレタンフィルム、ナイロンフィルム、ポリエチレンテレフタレートフィルムまたはそれらの複合ラミネートフィルム等が挙げられる。
【００３１】
非透過フィルム２２は、液体も気体も通さない性質を有する周知のフィルムで構成することができる。この実施形態では、非透過フィルム２２は、アルミニウムフィルムで構成されている。
【００３２】
非透過フィルム２２の全面は、接着剤によって揮発薬剤透過フィルム２１に対し剥離可能に接着され、非透過フィルム２２と揮発薬剤透過フィルム２１とは一体化している。この剥離可能に接着するための接着剤は、周知の接着剤であるため詳細な説明は省略する。非透過フィルム２２と揮発薬剤透過フィルム２１との接着力は、揮発薬剤透過フィルム２１の容器１０への固着力よりも弱く設定されている。つまり、揮発薬剤透過フィルム２１は、容器１０に対し、非透過フィルム２２を揮発薬剤透過フィルム２１から剥離させるときの力よりも強く固着されている。
【００３３】
具体的には、薬剤拡散器５０を使用する一般の人（使用者）が非透過フィルム２２を例えば人差し指と親指で掴んで剥離方向に引っ張った際に、違和感を感じる程の大きな力を必要とせず、揮発薬剤透過フィルム２１からスムーズに剥離できる程度の接着力である。
【００３４】
図４に示すように、非透過フィルム２２の幅は、揮発薬剤透過フィルム２１の幅と略同じに設定されている。一方、図５、図６に示すように、非透過フィルム２２の長さは、揮発薬剤透過フィルム２１の長さよりも長く設定されている。非透過フィルム２２の下縁部は、揮発薬剤透過フィルム２１の下縁部と略一致しているが、非透過フィルム２２の上側は、揮発薬剤透過フィルム２１の上縁部よりも上方まで延びるように形成されている。
【００３５】
非透過フィルム２２における揮発薬剤透過フィルム２１よりも上側の部分は、使用者が非透過フィルム２２を剥離する際に掴むための掴み部２２ａとされている。つまり、掴み部２２ａは、蓋２０を容器１０に固着した状態で、揮発薬剤透過フィルム２１よりも容器１０外へ向けて延出している。このため、掴み部２２ａには、揮発薬剤透過フィルム２１が積層されておらず、容器１０に固着されない部分となる。
【００３６】
掴み部２２ａは略矩形状とされており、その幅は、非透過フィルム２２の本体部分（揮発薬剤透過フィルム２１が積層された部分）と略同じである。掴み部２２ａの上下寸法は、容器１０の延出部１４の上下寸法よりも長く設定されており、図５、図６に示すように、掴み部２２ａの上部は、延出部１４の上部よりも上方に位置している。
【００３７】
非透過フィルム２２を構成する材料としては、アルミニウムフィルム以外にも、例えば、ポリエステル（ＰＥＴ、ＰＢＴなど）、ポリアミド、ポリアセタール、ポリアクリルニトリル等が挙げられる。
【００３８】
薬剤の成分及び揮発薬剤透過フィルム２１の構造によって容器１０内の薬剤の減少速度を任意に調節することが可能である。例えば、薬剤拡散器５０の薬剤含浸体５１の寿命が１００日であれば、表示具１の容器１０の薬剤も１００日で無くなるように薬剤の減少速度を設定しておく。尚、表示具１の容器１０内の薬剤と、薬剤拡散器５０の薬剤含浸体５１の薬剤とは、効果の異なる薬剤が好ましい。
【００３９】
上記のように構成された表示具１は、図１に示すように、薬剤拡散器５０の開口部５７に収容された状態で、容器１０の延出部１４がケース５２の第１分割体５５及び第２分割体５６で挟まれて保持され、容器１０の下部がケース５２に同様に保持される。
【００４０】
このようにしてケース５２に取り付けられた表示具１は、ケース５２の外部から視認可能になるので、容器１０内の薬剤の減少度合いを容易に把握することができ、この容器１０内の薬剤の減少度合いに基づいて薬剤拡散器５０の薬剤含浸体５１の薬剤残量（薬剤含浸体５１の寿命）を把握することが可能である。このとき、表示具１の容器１０内の薬剤は着色されており、容器１０が透明であるので、使用者は薬剤残量を把握しやすい。
【００４１】
次に、上記表示具１の製造要領について説明する。容器１０は、樹脂製の板材を加熱プレス成形することにより得るが、このとき、図１０〜１２に示すように、多数の容器１０が連なった状態の中間成形品１００を製造する。
【００４２】
一方、蓋２０は、揮発薬剤透過フィルム２１に非透過フィルム２２を接着して一体化した長尺状の材料を用意し、この材料を所定の寸法に切断して図９に示すフィルム状材料３００を得る。このフィルム状材料３００の切断寸法は、中間成形品１００の形状に対応した寸法である。つまり、中間成形品１００が有する容器１０の数と同じ数の蓋２０（図９（ａ）に仮想線で示す）を確保できる大きさのフィルム状材料３００を形成しておく。
【００４３】
フィルム状材料３００には、中間成形品１００に固着する前に掴み部２２ａとなる部分を形成する。すなわち、図９（ｂ）に示すように、フィルム状材料３００の揮発薬剤透過フィルム２１側に、切断装置の切断具Ａを用いて切れ込みＢを入れる。この切れ込みＢの深さは、非透過フィルム２２には達しないように設定されている。切断装置は周知の構造のものであり、切れ込みＢの深さの調整は、切断装置の調整によって任意に設定できる。
【００４４】
切れ込みＢを入れた後、図９（ｃ）に示すように、揮発薬剤透過フィルム２１の一部を非透過フィルム２２から剥離する。このとき、揮発薬剤透過フィルム２１の接着力は上述の如く弱めに設定されているので簡単に剥離できる。フィルム状材料３００のうち、揮発薬剤透過フィルム２１を剥離した部分が掴み部２２ａとなる。
【００４５】
図１３に示すように、容器１０になる中間成形品１００と蓋２０になるフィルム状材料３００とを用意した後、中間成形品１００における容器１０の開放側に、フィルム状材料３００における揮発薬剤透過フィルム２１側を重ねる。また、容器１０には薬剤を注入しておく。そして、フィルム状材料３００を周知の加熱器（図示せず）によって加熱し、揮発薬剤透過フィルム２１を溶融する。
【００４６】
そして、冷却すると、揮発薬剤透過フィルム２１が容器１０のフランジ１２に固着される。
【００４７】
しかる後、中間成形品１００及びフィルム状材料３００を切断することで表示具１が得られる。
【００４８】
このようにして得られた表示具１は、容器１０の周縁部がシールされて薬剤の洩れがないとともに、容器１０の開放側は非透過フィルム２２で覆われているので、薬剤の揮発もない。
【００４９】
次に、上記表示具１を使用する場合について説明する。図１に示すように、表示具１は、工場からの出荷段階で薬剤拡散器５０に予め取り付けられている。使用者は、非透過フィルム２２を揮発薬剤透過フィルム２１から剥離する。すなわち、図１４（ａ）に示すように、まず、非透過フィルム２２の掴み部２２ａを例えば人差し指と親指で掴む。このとき、非透過フィルム２２には、揮発薬剤透過フィルム２１が積層されていないので、掴み部２２ａは柔らかく曲がり易くなっている。従って、掴み部２２ａを、容器１０の延出部１４から離れる方向に容易に曲げることができ、使用者は掴み部２２ａを掴みやすい。
【００５０】
その後、図１４（ｂ）に示すように、使用者は、掴み部２２ａを掴んだ状態で下（剥離方向）に引っ張る。このとき、使用者は、揮発薬剤透過フィルム２１を掴んでいないので、非透過フィルム２２のみを引っ張ることになる。従って、従来のように揮発薬剤透過フィルム２１を部分的に破る必要はなく、非透過フィルム２２を揮発薬剤透過フィルム２１から剥離させる際の力が小さくて済み、また、揮発薬剤透過フィルム２１の一部が容器１０から引き剥がされることもない。
【００５１】
以上説明したように、この実施形態によれば、使用者は揮発薬剤透過フィルム２１を掴むことなく、非透過フィルム２２を剥離することができる。これにより、非透過フィルム２２を剥離させる際の力が小さくて済むので使いやすくすることができるとともに、揮発薬剤透過フィルム２１の一部が容器１０から引き剥がされることがなく不具合の発生を抑制できる。
【００５２】
特に、表示具１の容器１０を薬剤拡散器５０のケース５２に取り付けたまま蓋２０の非透過フィルム２２を剥離することができるので取扱いを簡単にすることができる。そして、蓋２０の非透過フィルム２２を剥離する際の力が小さくて済むので、剥離する際に表示具１が薬剤拡散器５０のケース５２から外れてしまうのを防止できる。
【００５３】
尚、上記実施形態では、掴み部２２ａを形成する際に、揮発薬剤透過フィルム２１の一部を非透過フィルム２２から剥離するようにしているが、これに限らず、非透過フィルム２２の一部に揮発薬剤透過フィルム２１が積層されていない材料を予め用意しておき、この材料から掴み部２２ａを有する蓋２０を形成してもよい。
【００５４】
また、上記実施形態では、本発明が薬剤拡散器５０の表示具１である場合について説明したが、これに限らず、本発明に係る薬剤収容具は、それ単独で、例えば、虫除け、消臭、芳香等の機能を持った器具として使用することができる。
【００５５】
また、容器１０の形状や大きさも任意に設定することができ、例えば、本発明は、据置型や携帯型の虫除け具、消臭具、芳香具等として利用することも可能である。
【産業上の利用可能性】
【００５６】
以上説明したように、本発明にかかる薬剤収容具は、例えば、殺虫剤等を収容して使用することができる。
【符号の説明】
【００５７】
１        表示具（薬剤収容具）
１０      容器
１１      膨出部
１２      フランジ
１３      切欠部
１４      延出部
２０      蓋
２１      揮発薬剤透過フィルム（揮発薬剤透過部材）
２２      非透過フィルム（非透過部材）
５０      薬剤拡散器
５１      薬剤含浸体
５２      ケース
５３      フック
５７      開口部
【図１】
0005916812.tif 000002
【図２】
0005916812.tif 000003
【図３】
0005916812.tif 000004
【図４】
0005916812.tif 000005
【図５】
0005916812.tif 000006
【図６】
0005916812.tif 000007
【図７】
0005916812.tif 000008
【図８】
0005916812.tif 000009
【図９】
0005916812.tif 000010
【図１０】
0005916812.tif 000011
【図１１】
0005916812.tif 000012
【図１２】
0005916812.tif 000013
【図１３】
0005916812.tif 000014
【図１４】
0005916812.tif 000015